【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
コンピューティングアプリケーションに関連して使用するための位置検出システムであって、
前記位置を確定するために復号可能な実質的に連続した超音波波形を放射するための第一放射器を備えた、位置を獲得するための位置要素と、
前記位置の確定を可能にする仕方で前記波形を検出し、前記位置確定能力を保持する仕方で演算のために前記波形を出力するための検出器配列と
を備えたシステム。
【請求項２】
前記検出器配列が、前記波形を低サンプリングレートで復号できるように、前記位置を確定するために復号可能な前記波形を放射するように作動可能である請求項１記載の位置検出システム。
【請求項３】
前記波形が周期性を備える請求項１記載の位置検出システム。
【請求項４】
前記出力が、低サンプリングレートで復号可能な前記波形を、前記演算用のコンピューティング装置の少なくとも一つのアナログ入力に提供することを含む請求項２記載の位置検出システム。
【請求項５】
前記出力が、前記波形を前記コンピューティング装置の少なくとも二つのアナログ入力に提供することを含む請求項４記載の位置検出システム。
【請求項６】
複数の位置要素を備え、前記検出器配列はそれぞれの波形を前記出力のために別個のチャネルとして供給するように構成される請求項１記載の位置検出システム。
【請求項７】
複数の検出器配列をさらに備え、より高い検出精度を達成する請求項６記載の位置検出システム。
【請求項８】
前記別個のチャネルが時間多重化または周波数多重化する請求項６記載の位置検出システム。
【請求項９】
各位置要素が前記連続波を変調するための変調器をさらに備える請求項６記載の位置検出システム。
【請求項１０】
前記変調器が周波数変調器である請求項９記載の位置検出システム。
【請求項１１】
各位置要素が前記複数の位置要素の同時使用を可能にするために周波数ホッピングシーケンスを備える請求項１０記載の位置検出システム。
【請求項１２】
各前記周波数ホッピングシーケンスが異なる擬似ランダムシーケンスである請求項１１記載の位置検出システム。
【請求項１３】
前記変調器が振幅変調器である請求項９記載の位置検出システム。
【請求項１４】
前記変調器が位置データに追加されるデータを前記波形に変調するように作動可能である請求項９記載の位置検出システム。
【請求項１５】
各位置要素が一意の識別子を備える請求項６記載の位置検出システム。
【請求項１６】
前記連続波が変調する請求項１記載の位置検出システム。
【請求項１７】
前記連続波が拡散スペクトルを使用して変調する請求項１６記載の位置検出システム。
【請求項１８】
前記連続波が時分割変調を使用して変調する請求項１６記載の位置検出システム。
【請求項１９】
前記位置要素がバイオメトリックセンサを備える請求項１記載の位置検出システム。
【請求項２０】
検出器配列が前記位置の多次元検出を達成するために複数の受信器を備える請求項１記載の位置検出システム。
【請求項２１】
前記出力が、低サンプリングレートで復号可能な前記波形を前記演算用のコンピューティング装置のアナログ入力に提供することを含み、さらに前記複数の受信器の各々からの前記波形の信号を前記アナログ入力に前記入力するために多重化するように作動可能である請求項２０記載の位置検出システム。
【請求項２２】
前記コンピューティング装置の逆多重化能力を利用して、前記アナログ入力で受け取った前記信号を逆多重化するように作動可能である請求項２１記載の位置検出システム。
【請求項２３】
前記位置要素は、前記連続波形に追加される信号であってそれとは異なる速度を有する信号を放射するための第二放射器をさらに備え、それにより前記連続波形と前記追加信号との間の時間遅延から前記位置要素と前記検出器配列の検出器との間の距離を示すデータを得る請求項１記載の位置検出システム。
【請求項２４】
前記追加信号が光速信号である請求項２３記載の位置検出システム。
【請求項２５】
光速信号が赤外信号である請求項２４記載の位置検出システム。
【請求項２６】
前記出力がコンピューティング装置のアナログ入力に前記波形を提供することを含む請求項１記載の位置検出システム。
【請求項２７】
前記アナログ入力がアナログデジタル変換器への入力である請求項２６記載の位置検出システム。
【請求項２８】
前記アナログデジタル変換器がサウンドカードの一部である請求項２７記載の位置検出システム。
【請求項２９】
前記アナログ入力が、マイクロホン入力、ラインイン入力、およびモデム入力のうちの少なくとも一つである請求項２７記載の位置検出システム。
【請求項３０】
前記検出器配列が前記アナログ入力を介して前記コンピューティング装置から電力を供給されるように構成される請求項２９記載の位置検出システム。
【請求項３１】
前記位置確定能力を保持する前記方法が、低周波数サンプリング全体にわたって前記能力を保持することを含む請求項１記載の位置検出システム。
【請求項３２】
前記低周波数サンプリングがサウンド信号のナイキストレートサンプリングと互換可能なレートを含む請求項３１記載の位置検出システム。
【請求項３３】
前記レートが５０ＫＨｚ未満である請求項３２記載の位置検出システム。
【請求項３４】
前記レートが実質的に４４ＫＨｚである請求項３２記載の位置検出システム。
【請求項３５】
前記レートが実質的に６ＫＨｚである請求項３２記載の位置検出システム。
【請求項３６】
システムが、前記波形を復号しかつ前記位置を指摘するために前記演算を実行するための復号装置をさらに備える請求項１記載の位置検出システム。
【請求項３７】
前記復号装置が、最尤距離を見出すことによって前記復号を実行するための最尤検出器を備える請求項３６記載の位置検出システム。
【請求項３８】
前記最尤検出器が、前記位置要素から前記波形復号装置までの前記波形の通路をモデル化し、それによって前記最尤距離をそれに照らして識別するための基準信号を提供するためのチャネルモデルを備える請求項３７記載の位置検出システム。
【請求項３９】
前記最尤検出器の後に、前記最尤距離を確認するための相関器が続く請求項３７記載の位置検出システム。
【請求項４０】
前記検出器配列と前記位置要素とを同期させるための同期化装置をさらに備える請求項１記載の位置検出システム。
【請求項４１】
前記同期化装置が、ＩＲおよびＲＦ信号方式の少なくとも一つを使用して前記同期化を実行するように作動可能である請求項４０記載の位置検出システム。
【請求項４２】
前記同期化装置が、同期ずれを監視し、それによって反復同期化が実行される周波数を低減するように作動可能である請求項４０記載の位置検出システム。
【請求項４３】
前記同期化が前記位置要素における局部発振器とで行なわれる請求項４０記載の位置検出システム。
【請求項４４】
前記同期化装置がさらに、前記波形に同期信号を加え、それによりホスト装置と同期するように作動可能である請求項４０記載の位置検出システム。
【請求項４５】
前記位置要素が前記検出器配列にワイヤ接続される請求項１記載の位置検出システム。
【請求項４６】
前記位置要素がデジタルデータを前記連続波形に復号するためのデジタル復号器を備える請求項１記載の位置検出システム。
【請求項４７】
前記波形復号装置が、コンピューティング装置内のインストール用のクライアントプログラムとして設けられる請求項３６記載の位置検出システム。
【請求項４８】
前記波形復号装置が、コンピューティング装置のオペレーティングシステム内のインストール用のクライアントプログラムとして設けられる請求項３６記載の位置検出システム。
【請求項４９】
前記波形復号装置が前記検出器配列と一体化する請求項３６記載の位置検出システム。
【請求項５０】
前記位置要素が、前記位置要素に働いている圧力のデータを提供するために圧力センサをさらに備える請求項１記載の位置検出システム。
【請求項５１】
前記位置要素は、前記位置要素が保っている姿勢のデータを提供するために姿勢検知器をさらに備える請求項１記載の位置検出システム。
【請求項５２】
前記位置要素が、
前記位置要素に働いている圧力のデータを提供する圧力センサと
前記位置要素が保っている姿勢のデータを提供する姿勢検知器と
をさらに備える請求項１記載の位置検出システム。
【請求項５３】
前記姿勢検知器が、前記位置要素上に予め定められた距離だけ離して配置された、各々別個の位置検出用の二つの波形送信器を備える請求項５２記載の位置検出システム。
【請求項５４】
前記位置要素の使用者から移動、圧力、および姿勢ベクトルの三重項を抽出するのに使用可能である請求項５２記載の位置検出システム。
【請求項５５】
前記位置要素内に設けられた電子署名機能性をさらに備える請求項１記載の位置検出システム。
【請求項５６】
前記位置要素内に設けられたバイオメトリック署名機能性をさらに備える請求項５５記載の位置検出システム。
【請求項５７】
前記位置要素が制御データを受信するための受信器をさらに備える請求項１記載の位置検出システム。
【請求項５８】
前記位置のデータを他の要素に中継するようにさらに作動可能である請求項１記載の位置検出システム。
【請求項５９】
前記検出器配列が携帯電話装置に関連付けられ、それによって前記電話装置書込み入力能力を提供する請求項１記載の位置検出システム。
【請求項６０】
前記書込み入力を前記電話装置のダイヤル入力として使用するためのアプリケーションをさらに備える請求項５９記載の位置検出システム。
【請求項６１】
位置演算アプリケーションと、
手書きからテキストへの変換アプリケーションと
をさらに備えて、手書き対デジタルインタフェースを提供する請求項１記載の位置検出システム。
【請求項６２】
テキストから音声への変換アプリケーションおよび言語翻訳アプリケーションのうちの少なくとも一つをさらに備え、それによって前記手書き入力から読取りまたは翻訳を達成することができる請求項６１記載の位置検出システム。
【請求項６３】
前記位置要素内に設けられた電子署名機能性と、
抽出された使用者署名の三重項を検証するための検証機能性と
をさらに備え、システムが使用者署名の前記検証機能性による検証付きの電子署名機能性を可能にするように作動可能である請求項５４記載の位置検出システム。
【請求項６４】
前記位置要素が個人に取り付けるための個人ロケータである請求項１記載の位置検出システム。
【請求項６５】
前記位置要素が空間内の品目の位置の識別用の品目ロケータである請求項１記載の位置検出システム。
【請求項６６】
前記位置を算出しかつ前記位置に応答して制御信号を発行するためのアプリケーションをさらに設ける請求項６４記載の位置検出システム。
【請求項６７】
前記位置を算出しかつ前記位置に応答して制御信号を発行するためのアプリケーションをさらに設ける請求項６５記載の位置検出システム。
【請求項６８】
前記制御信号が、ステレオサウンドシステムのフォーカスを指示する信号、カメラに指示する信号、到来する通話に指示する信号、ロボットに指示する信号のうちの少なくとも一つである請求項６６記載の位置検出システム。
【請求項６９】
前記制御信号が、カメラに指示する信号、ロボットに指示する信号、機械設備に指示する信号、予め定められたシーケンスを指示する信号、組立シーケンスを指示する信号、および修理シーケンスを指示する信号である請求項６７記載の位置検出システム。
【請求項７０】
各々が前記位置要素の一つおよび前記検出器配列の一つを備えた複数のユニットを含み、各ユニットが全ての隣接ユニットの位置を突き止めるように作動可能であり、それによって前記ユニットの連鎖構成を達成する請求項１記載の位置検出システム。
【請求項７１】
各ユニットが一意の識別子を備える請求項７０記載の位置検出システム。
【請求項７２】
前記位置要素が仮想現実ゲームアクセサリの一部である請求項６４記載の位置検出システム。
【請求項７３】
アナログ入力を有するコンピューティング装置に関連して使用するための位置検出方法であって、
位置要素を使用して位置を獲得するステップと、
前記位置を確定するために復号可能な実質的に連続した超音波波形を放射するステップと、
前記位置の確定を可能にする仕方で前記波形を検出し、かつ前記位置確定能力を保持する仕方で前記波形を出力し、それによって前記コンピューティング装置に前記位置の指標を提供するステップと
を含む方法。
【請求項７４】
前記出力ステップが前記波形をアナログ信号として出力することを含む請求項７３記載の位置検出方法。
【請求項７５】
前記コンピューティング装置で前記波形を復号して前記位置のデータを抽出するステップをさらに含む請求項７４記載の位置検出方法。
【請求項７６】
コンピューティング装置の位置検出システムであって、
位置を獲得するための位置要素であって、前記位置を確定するために復号可能な超音波連続波形を放射するための超音波連続波形放射器を備えた位置要素と、
前記位置の確定を可能にする仕方で前記波形を検出するための検出器配列と、
前記配列から前記波形を受け取り、前記波形から前記獲得した位置を復号するための信号復号器と
を備えたシステム。
【請求項７７】
前記検出器配列および前記信号復号器がアナログリンクを介して接続される請求項７６記載の位置検出システム。
【請求項７８】
前記位置要素が、前記波形を低サンプリングレートで復号できるように、前記位置を確定するために復号可能な前記波形を放射するように作動可能である請求項７６記載の位置検出システム。
【請求項７９】
前記波形が実質的に連続波形である請求項７６記載の位置検出システム。
【請求項８０】
前記検出器配列が、各々別個に前記波形を検出するように異なる位置に配列された複数の信号検出器を備え、それによって前記検出された信号間の差分情報として前記位置の確定を達成する請求項７６記載の位置検出システム。
【請求項８１】
前記信号復号器が、前記システムのモデルを使用して形成された少なくとも一つの基準信号と、前記基準信号に基づいて最尤位置を決定するための最尤検出器とを備える請求項８０記載の位置検出システム。
【請求項８２】
前記復号器が相関関数を使用して前記最尤位置を確認するための相関器をさらに備える請求項８１記載の位置検出システム。
【請求項８３】
前記位置要素が、異なる速度を有する信号の組合せを放射して、受信器にそれらの間の時間遅延からそれらとの距離を算出させるように作動可能である請求項７６記載の位置検出システム。
【請求項８４】
前記組合せが光速信号および音速信号を含む請求項８３記載の位置検出システム。
【請求項８５】
光速信号が赤外信号である請求項８４記載の位置検出システム。
【請求項８６】
音速信号が超音波信号である請求項８４記載の位置検出システム。
【請求項８７】
前記位置確定能力を保持する前記仕方が低周波数サンプリング全体にわたって前記能力を保持することを含む請求項７６記載の位置検出システム。
【請求項８８】
前記低周波数サンプリングがサウンド信号のナイキストレートサンプリングと互換可能なレートを含む請求項８７記載の位置検出システム。
【請求項８９】
前記レートが５０ＫＨｚ未満である請求項８８記載の位置検出システム。
【請求項９０】
前記レートが実質的に４４ＫＨｚである請求項８８記載の位置検出システム。
【請求項９１】
前記レートが実質的に６ＫＨｚである請求項８８記載の位置検出システム。
【請求項９２】
前記位置要素が、前記位置要素に働いている圧力のデータを提供するために圧力センサをさらに備える請求項７６記載の位置検出システム。
【請求項９３】
前記位置要素が、前記位置要素が保っている姿勢のデータを提供するために姿勢検知器をさらに備える請求項７６記載の位置検出システム。
【請求項９４】
前記位置要素が、
前記位置要素に働いている圧力のデータを提供する圧力センサと
前記位置要素が保っている姿勢のデータを提供する姿勢検知器と
をさらに備える請求項７６記載の位置検出システム。
【請求項９５】
前記位置要素の使用者から移動、圧力、および姿勢ベクトルの三重項を抽出するのに使用可能である請求項９４記載の位置検出システム。
【請求項９６】
前記位置要素に設けられた電子署名機能性をさらに備える請求項７６記載の位置検出システム。
【請求項９７】
前記位置要素に設けられた電子署名機能性と、
抽出された使用者署名の三重項を検証するための検証機能性と
をさらに備え、システムが使用者署名の前記検証機能性による検証付きの前記電子署名機能性を可能にするように作動可能である請求項９５記載の位置検出システム。
【請求項９８】
コンピューティングアプリケーションに関連して使用するための位置検出システムであって、
前記位置を確定するために復号可能な波形を各々放射するための、予め定められた距離だけ離れている第一放射器および第二放射器を備えた、位置を獲得するための位置要素と、
前記位置の確定を可能にし、かつ前記位置要素の姿勢の決定を可能にする仕方で前記波形を検出するための検出器配列であって、さらに前記位置確定能力を保持する仕方で演算のために前記波形を出力するように作動可能である検出器配列と
を備えた位置検出システム。
【請求項９９】
前記位置要素が前記位置要素に働いている圧力のデータを提供するために圧力センサをさらに備える請求項９８記載の位置検出システム。
【請求項１００】
前記波形がＩＲ波形、ＲＦ波形、音響波形、および連続音響波形のうちの一つである請求項９８記載の位置検出システム。
【請求項１０１】
前記出力ステップは、コンピューティング装置のアナログ入力に供給するのに適した仕方で行なう請求項９８記載の位置検出システム。
【請求項１０２】
前記検出器配列が直交ループの配列である請求項９８記載の位置検出システム。
【手続補正２】
【補正対象書類名】明細書
【補正対象項目名】０１１３
【補正方法】変更
【補正の内容】
【０１１３】
検出器配列は、各々別個に波形を検出するように異なる位置に配列された複数の信号検出器を備え、それによって検出された信号間の差分情報として位置の確定を達成することが好ましい。